(57)【要約】  本発明は、内壁部と外壁部の間に発泡性樹脂材が充填されて断熱及び防音効果が一層向上し、発泡性樹脂材と内壁部/外壁部の間の付着力が優れ、建造される建物の構造的強度が向上し、煉瓦自体だけでも高級な建物が建造されることができる建築用煉瓦に関するものである。  本発明によれば、建物の壁体を築造するための煉瓦において、前記煉瓦は構造的剛体になった内壁部(10)と外壁部(20)が所定の間隔で離隔配置され、前記内壁部(10)と外壁部(20)の間には発泡性樹脂材(30)が充填され、この発泡性樹脂材(30)によって内壁部(10)と外壁部(20)が一体に付着され、前記発泡性樹脂材(30)には内壁部(10)と外壁部(20)より周りにさらに突き出される突出部(31)が具備され、この突出部(31)には前記内壁部(10)と外壁部(20)が所定深さ埋込され、この埋込部(11,21)周りが発泡性樹脂材(30)によって包み込まれ、付着強度が補強できるようになったことを特徴とする建築用煉瓦が提供される。
2007504376.tif 000002
【特許請求の範囲】
【請求項１】
建物の壁体を築造するための煉瓦において、前記煉瓦は構造的剛体になった内壁部(10)と外壁部(20)が所定の間隔で離隔配置され、煉瓦と煉瓦間の空間(40)にはセメントモルタルで満たされ、前記外壁部(20)は飾り用石材からなって、前記内壁部(10)と外壁部(20)の間には発泡性樹脂材(30)が充填され、この発泡性樹脂材(30)によって内壁部(10)と外壁部(20)が一体に付着され、前記発泡性樹脂材(30)には内壁部(10)と外壁部(20)より周りにさらに突き出される突出部(31)が具備され、前記突出部(31)前後方に空く空間(40)にはセメントモルタルで満たして入れ、前記突出部(31)には前記内壁部(10)と外壁部(20)が所定深さ埋め込みされ、前記埋込部(11,21)周りが発泡性樹脂材(30)によって包み込まれ、付着強度が補強できるようになったことを特徴とする建築用煉瓦。
【発明の詳細な説明】
【技術分野】
【０００１】
本発明は内壁部と外壁部の間に発泡性樹脂材が充填され、断熱及び防音効果が一層向上し、発泡性樹脂材と内壁部/外壁部の間の付着力が優れ、建造される建物の構造的強度が向上し、煉瓦自体だけでも高級な建物が建造することができる建築用煉瓦に関するものである。
【０００２】
本発明によれば、建物の壁体を築造するための煉瓦において、前記煉瓦は構造的剛体になっている内壁部(10)と外壁部(20)が所定の間隔で離隔配置され、前記内壁部(10)と外壁部(20)の間には発泡性樹脂材(30)が充填され、この発泡性樹脂材(30)によって内壁部(10)と外壁部(20)が一体に付着され、前記発泡性樹脂材(30)には内壁部(10)と外壁部(20)より周りにさらに突き出される突出部(31)が具備され、この突出部(31)は前記内壁部(10)と外壁部(20)が所定深さ埋め込まれ、この埋込部(11,21)周りが発泡性樹脂材(30)によって包み込まれ、付着強度が補強できるようになったことを特徴とする建築用煉瓦が提供される。
【背景技術】
【０００３】
本発明は建築用煉瓦に関するものであり、より詳細には内壁部と外壁部の間に発泡性樹脂材が充填され、断熱及び防音効果が一層向上し、発泡性樹脂材と内壁部/外壁部との間の付着力が優れ、建造される建物の構造的強度が向上し、煉瓦自体だけでも高級な建物が建造されることができる建築用煉瓦に関するのである。
【０００４】
通常的な建築用煉瓦は、四角の赤煉瓦またはセメント煉瓦で製作され、これを積層して建物の壁体を形成するが、この時、互いに隣接した煉瓦は、セメントモルタルによって互いに付着された。
【０００５】
したがって、このような煉瓦によって建造された建物は、それぞれの煉瓦の間に隙間が発生し、この隙間を通じて雨の時に水気が建物内部に容易に流入されることは勿論、煉瓦自体の断熱性が低下され、このような煉瓦だけで建造された建物は、内部に湿気が多くこもるなどの問題点がある。また、このような断熱及び防湿効果の低下によって、従来には築造された壁体内側に別途の断熱材を当て、この断熱材の外側に不燃性石膏ボードを設置して仕上げるなど別途の後続作業が必要となり、これによって、建物の施工期間及び施工費が増えるなどの問題点があった。その外にも、このような煉瓦によって建造された建物は、火事の時に前記石膏ボードが外部の衝撃によって容易に破損され、その内側に位置した断熱材が外部に露出するので、火事の危険性が増加される問題点があった。
【０００６】
また、前記煉瓦は、互いに隣接した煉瓦がセメントモルタルの付着力によってのみ付着されるので、壁体の構造的強度が低下することは勿論、高級な建物を建造するためには石材などの別途の外装用仕上げ材を付着する工程が、さらに要求されるなどのさまざまな問題点があった。
【発明の開示】
【発明が解決しようとする課題】
【０００７】
本発明は前記の問題点を解決するためのものであり、本発明の目的は内壁部と外壁部の間に発泡性樹脂材が充填され、断熱及び防音効果が一層向上しながらも、発泡性樹脂材と内壁部/外壁部との間の付着力が優れ、建造される建物の構造的な強度が一層向上され、煉瓦自体だけでも高級な建物が建造できる建築用煉瓦を提供するものである。
【０００８】
以上のように本発明によれば、前記煉瓦は内壁部(10)と外壁部(20)の間に発泡性樹脂材(30)が充填され、断熱及び防音効果が向上する。さらに、前記煉瓦は建物建造時、発泡性樹脂材(30)同士が互いに密着されて煉瓦と煉瓦間の隙間が完全に遮断されるので、防音及び断熱、防湿効果が優れる。また、壁体築造後、別途の断熱及び防水施工が必要がないので、建物工期及び工事費などが著しく節減される長所がある。
【０００９】
また、前記煉瓦は、内壁部(10)と外壁部(20)が発泡性樹脂材(30)に所定深さに埋め込まれるので、この埋込部(11,21) 周りの面に形成された数多い凹凸粒子の間に発泡性樹脂材(30)が浸入し、内壁部(10)と外壁部(20)が分離される方向に対して、直角方向にかかるため付着強度が一層向上する長所がある。その外にも、前記煉瓦は、外壁部(20)が大理石などの飾り用石材になっているので、煉瓦自体だけでも高級な建物が建造される。
【発明を実施するための最良の形態】
【００１０】
本発明によれば、建物の壁体を築造するための煉瓦において、前記煉瓦は構造的剛体になっている内壁部(10)と外壁部(20)が所定の間隔でが離隔配置され、前記内壁部(10)と外壁部(20)の間には発泡性樹脂材(30)が充填され、この発泡性樹脂材(30)によって内壁部(10)と外壁部(20)が一体に付着し、前記発泡性樹脂材(30)には内壁部(10)と外壁部(20)より周りにさらに突き出される突出部(31)が具備され、この突出部(31)は前記内壁部(10)と外壁部(20)が所定深さ埋め込まれ、この埋込部(11,21)周りが発泡性樹脂材(30)によって包み込まれ、付着強度が補強できるようになったことを特徴とする建築用煉瓦が提供される。
【００１１】
本発明のまた他の特徴によれば、前記外壁部(20)は飾り用石材になっており、別途の外装用仕上げ材を施工しなくても良いことを特徴とする建築用煉瓦が提供される。
【００１２】
以下、本発明の好ましい実施例を添付した図面に基づいて説明すれば次のようである。
【００１３】
図１乃至図５はそれぞれ本発明による煉瓦の一実施例を示す斜視図と平断面図、側断面図である。これを参照すれば、前記建築用煉瓦は、内壁部(10)と外壁部(20)が所定の間隔で離隔配置され、その間に発泡性樹脂材(30)が充填され、この発泡性樹脂材(30)によって内壁部(10)と外壁部(20)が一体に付着し、 断熱及び防音、防湿効果が一層向上できるようにしたものである。また、前記発泡性樹脂材(30)には内壁部(10)と外壁部(20)より周りにさらに突き出される突出部(31)が具備され、この突出部(31)は前記内壁部(10)と外壁部(20)が所定深さ埋め込まれ、この埋込部(11,21)周りが発泡性樹脂材(30)によって包み込まれ、付着強度が補強できるようになったのである。
【００１４】
前記内壁部(10)はコンクリートモルタルを利用して大体「カタカナの『コ』を左右反転させた文字」の形態に成形したものであり、その内側には外壁部(20)に向かって開口された埋込部(11)が上下に貫通形成される。また、前記外壁部(20)は、内壁部(10)から所定の間隔で離隔配置される平板形の大理石などの飾り用石材からなる。従って、このような内壁部(10)と外壁部(20)は、煉瓦自体だけでも高級な建物が建造できるように外装用仕上げ材としての役割も兼ねることになる。
【００１５】
前記発泡性樹脂材(30)は、金型内に内壁部(10)と外壁部(20)を互いに離隔配置し、その間で発砲したことで、前記内壁部(10)と外壁部(20)に堅固に付着するとともに、硬化時強度が高いウレタンなどの樹脂材を利用して発砲硬化したものである。この時、前記発泡性樹脂材(30)には内壁部(10)と外壁部(20)より周りにさらに突き出される突出部(31)が具備され、この突出部(31)には前記内壁部(10)と外壁部(20)が所定深さ埋込され、この埋込部(11,21) 周りが発泡性樹脂材(30)によって包み込まれ、内壁部(10)と外壁部(20)の間の付着強度を補強できるように構成される。
【００１６】
この時、それぞれの煉瓦を互いに密着させて壁体を築造すれば、発泡性樹脂材(30)の突出部(31)同士が触れ合って突出部(31)前後方には煉瓦と煉瓦の間が空いて、この空く空間(40)にはセメントモルタルを入れ、煉瓦間の付着力と支持力を強化することになる。
【００１７】
図６は本発明による煉瓦の他の実施例を示す斜視図として、これを参照すれば、前記建築用煉瓦は、内壁部(10)と外壁部(20)が所定の間隔で離隔配置され、その間に発泡性樹脂材(30)が充填され、この発泡性樹脂材(30)によって内壁部(10)と外壁部(20)が一体に付着し、前記発泡性樹脂材(30)の周りには突出部(31)が具備され、この突出部(31)に前記内壁部(10)と外壁部(20)が所定深さ埋め込まれ、この埋込部(11,21)周りが発泡性樹脂材(30)によって包み込まれるようにすることは、前に述べた一実施例と同一類似である。
【００１８】
但し、本実施例では前記内壁部(10)が煉瓦の厚さ方向中央部を横断する仮想の区画線(D-D´)を中心に、その前方部(15)と後方部(13)に区画されて左右に段差をもって形成され、この前方部(15)と後方部(13)の内部にはそれぞれ所定の埋込部(11,16)が形成され、これ埋込部(11,16)に発泡性樹脂材(30,36)が内蔵されることで、二重の断熱及び防音効果を持つようにし、壁体築造時、互いに隣接した煉瓦の前方部(15)と後方部(13)が互いに噛み合って壁体の強度をさらに向上させるためである。
【００１９】
また、前記発泡性樹脂材(30,36)のうち、外壁(20)の方に位置した発泡性樹脂材(30)は前に述べた一実施例のように、内壁部(10)と外壁部(20)の間に充填されるとともに、その周りには突出部(31)が具備され、この突出部(31)に前記内壁部(10)と外壁部(20)が所定深さ埋込され、付着強度を向上させるように構成される。その外にも、前記内壁部(10)の前方部(15)と後方部(13)は、左右に段差をもって形成されるだけでなく、上下にも互いに段差をもって形成することもできる。
【００２０】
以上の構成による建築用煉瓦は、構造的剛体からなる内壁部 (10)と外壁部(20)間に発泡性樹脂材(30)が充填され、内壁部(10)と外壁部(20)が所定の間隔で離隔されることで、断熱及び防音効果が一層向上する。また、前記煉瓦は建物建造時、隣接した煉瓦の発泡性樹脂材(30)同士が互いに密着され、煉瓦と煉瓦の間の隙間が密閉されるので、このような隙間による水分及び冷気流入、騷音の伝達なども遮断されるので、断熱及び防音、防湿効果がさらに向上する。
【００２１】
また、前記煉瓦はこのような断熱及び防音、防湿効果によって建物建造後、別途に断熱材及び石膏ボードなどを設置する後工程が必要がなく、これによって工期が短縮され、建築費が減るなどの長所がある。その外にも、前記煉瓦は施工された建物に火事が起こっても発泡性樹脂材(30)が従来の石膏ボードとは違う堅固な壁体に埋込されるので、火がつく心配がないので、難燃性のすぐれる建物が建造される。
【００２２】
そして、前記発泡性樹脂材(30)はその周りに突出部(31)が具備され、この突出部(31)に前記内壁部(10)と外壁部(20)が所定深さ埋込され、この埋込部(11,21)周りが発泡性樹脂材(30)によって包み込まれ、付着強度を一層高めることができる。即ち、前記内壁部(10)と外壁部(20)は互いに向い合う面が発泡性樹脂材(30)と付着する外にも、埋込部(11,21)側壁面まで前記発泡性樹脂材(30)に付着しているので、付着力がさらに向上するのである。
【００２３】
さらに、前記内壁部(10)と外壁部(20)の表面には図５のように、微細な凹凸が形成され、発泡性樹脂材(30)がこの凹凸の中に浸透していて、内壁部(10)と外壁部(20)がこのような発泡性樹脂材(30)と分離するためには、埋込部(11,21)側壁面に形成された凹凸の突出及び、陷沒方向に対して直角方向に離れ、したがって、凹凸を形成する数多くの粒子が内壁部(10)と外壁部(20)から離れない限り、前記発泡性樹脂材(30)は凹凸された数多くの粒子にかかって分離されない。また、前記煉瓦は互いに密着させて壁体を築造すれば、発泡性樹脂材(30)の突出部(31)同士が互いに触れ合って、この突出部(31)前後方の煉瓦と煉瓦の間にはセメントモルタルで充填されるので、前記突出部(31)が前後方に充填されたセメントモルタルに噛み合って耐力壁の強度が一層向上する長所がある。
【００２４】
その外にも、前記煉瓦は外壁部(20)が大理石などの飾り用石材からなって、従来のように別途に外壁飾り用仕上げ材を付着しなくても、高級なの建物が建造される。
【図面の簡単な説明】
【００２５】
【図１】本発明による煉瓦の一実施例を示す斜視図。
【図２】図１の煉瓦が築造された状態を示す斜視図。
【図３】図１の煉瓦が築造された状態の平断面図。
【図４】図１の煉瓦が築造された状態の側断面図。
【図５】本発明を構成する内壁部と外壁部の接着面を示す平断面図。
【図６】本発明による煉瓦の他の実施例を示す斜視図。
【図１】
2007504376.tif 000003
【図２】
2007504376.tif 000004
【図３】
2007504376.tif 000005
【図４】
2007504376.tif 000006
【図５】
2007504376.tif 000007
【図６】
2007504376.tif 000008
【国際調査報告】
2007504376.tif 000009